(57)【要約】【課題】  回転軸７を支持するベアリング２５に無理な力が作用しないようにする。【解決手段】  雌ねじ部材４６により支持板４０を左側に押すことが出来る（図１の矢印Ｇ参照）。このようにすることにより、回転軸７を介して、左のベアリング２５の内輪２５ａを、外輪２５ｂに対して左に片寄らせて、ボール２５ｃを、ベアリング２５の元々の遊びを少なくする状態で外輪２５ｂ・内輪２５ａに当接させることが出来る。そして、その状態で支持板４０が支持軸３９の嵌合部３９ａに対して左右方向に移動可能で且つ支持軸３９の半径方向に移動可能となされている。その結果、細断時に回転軸７の右側部７ａが撓んでも、支持板４０が回転軸７を中心に左右に傾くことことが出来る（図１の矢印Ｆ参照）。【選択図】  図１
2005329295.tif 000002
【特許請求の範囲】
【請求項１】
上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記左右のベアリングの一方のベアリングが、側壁又は回転軸の一方に左右方向に移動可能なように設けられ、且つ、同他方に左右方向に移動しないように固定され、他方のベアリングの外輪がケーシングに左右方向に移動しないように固定され、同内輪が回転軸に左右方向に移動しないように固定され、外輪及び内輪が左右動しないようになされたベアリングのボールがベアリングの元々の遊びを少なくする状態で外輪・内輪に当接するように、支持板が左又は右に押されており、その状態で支持板が支持軸に対して左右方向に移動可能で且つ支持軸の半径方向に移動可能となされている細断機。
【請求項２】
上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に第１環状体が介挿された状態で側壁に左右方向には動かないように挟持固定され、また、一対のベアリングの内輪が両者の間に第２環状体が介挿された状態で回転軸に左右方向には動かないように挟持固定され、前記第２環状体の厚みが第１環状体の厚みより薄くなされていて、それらのボールがベアリングの元々の遊びを少なくする状態で外輪・内輪に当接するようになされている細断機。
【請求項３】
上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に第１環状体が介挿された状態で側壁に左右方向には動かないように挟持固定され、また、一対のベアリングの内輪が両者の間に第２環状体が介挿された状態で回転軸に左右方向には動かないように挟持固定され、前記第１環状体の厚みが第２環状体の厚みより薄くなされていて、それらのボールがベアリングの元々の遊びを少なくする状態で外輪・内輪に当接するようになされている細断機。
【請求項４】
上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に環状体が介挿された状態で側壁に左右方向には動かないように挟持固定され、また、一対のベアリングの内輪が相互に寄り合うように回転軸に挟持固定されていて、それらのボールがベアリングの元々の遊びを少なくする状態で外輪・内輪に当接するようになされている細断機。
【請求項５】
上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が相互に寄り合うように側壁に挟持固定され、また、一対のベアリングの内輪が両者の間に環状体が介挿された状態で回転軸に左右方向には動かないように挟持固定されていて、それらのボールがベアリングの元々の遊びを少なくする状態で外輪・内輪に当接するようになされている細断機。
【発明の詳細な説明】
【技術分野】
【０００１】
本発明は、例えば、熱可塑性合成樹脂製品の成形に伴って発生する副産物（スプル・ランナ等）を再利用可能な細断片に細断するのに好適な細断機に関する。
【背景技術】
【０００２】
従来、この種の細断機として、図６〜図８に示すもの（下記の特許文献１に示すもの）は知られている。
以下、図６〜図８を参照しつつ、従来の細断機につき説明する。なお、この説明において、前とは図６下側を、後とは同上側をいい、左とは図６左側を、右とは同右側をいう。
細断機１は、上部に入口３を有し、下部に出口４を有するケーシング５と、このケーシング５に回転自在に設けられた軸心を左右方向に向けた水平な回転軸７とを有している。
【０００３】
前記回転軸７は、ケーシング５側の右側部７ａと、ケーシング５の左の側壁６から突出した左側部７ｂとを有している。前記右側部７ａは、左側のベアリング２５（例えば、汎用で安価な単列ラジアル玉軸受）を介してケーシング５の左の側壁６に回転自在に支持されると共に右側のベアリング２５（例えば、汎用で安価な単列ラジアル玉軸受）を介してケーシング５の右の側壁６に回転自在に支持されている。
【０００４】
前記左右のベアリング２５の内輪２５ａの各々は、回転軸７に設けられた公知の左右一対の挟持部材２８により、左右方向（回転軸７の軸心方向）に移動しないように回転軸７に固定されている。また、前記左右のベアリング２５の外輪２５ｂの各々は、側壁６に設けられた公知の左右一対の挟持部材２９により、左右方向（回転軸７の軸心方向）に移動しないように側壁６に固定されている。そして、左右のベアリング２５の外輪２５ｂは、相互に寄り合うように外側の挟持部材２９に押されている。このような構成により、ボール２５ｃは、以下の、ベアリング２５の元々の遊びを少なくする状態で外輪２５ｂ・内輪２５ａに当接するようになされている。ベアリング２５の元々の遊びとは、内輪２５ａと外輪２５ｂとの間に元々存在する左右方向（軸心方向）の最大遊び（内輪２５ａが、その左右方向中心と外輪２５ｂの左右方向中心とを一致させた状態で、左側に０．１ｍｍ程度、右側に０．１ｍｍ程度ずれるために発生する遊び（以下、「ベアリング２５の元々の遊び」という。）のことである。上記のごとき構成とする理由を以下に説明する。後述するように、固定刃１５の凹凸部１５ａと細切断用回転刃９との噛み合により被処理物を細断するものであるから、その噛み合い部の左右方向のクリアランスは、出来るだけ小さな値に定めることが必要である。そして、そのクリアランスの値（０．０８ｍｍ前後）は、ベアリング２５の元々の遊びより小さい値となるのが一般的である。そのため、ベアリング２５の元々の遊びを抑えるために、上記のごとき構造としている。
【０００５】
前記回転軸７の左側部７ｂは、ギヤドモーター等からなる駆動モーター３２の筒状出力軸３４に公知の手段により嵌め止められている。前記駆動モーター３２のケーシング３３はケーシング５に公知の手段により固定されている。前記筒状出力軸３４は、左右のベアリング３５を介してケーシング３３に回転自在に支持されている。なお、筒状出力軸３４が減速歯車列（図示略）を介して回転させられるようになされていることは云うまでもない。このような構成によって、回転軸７は駆動モーター３２によって図７の矢印Ａの方向に回転させられるようになされている。
【０００６】
前記回転軸７には、アーム状の粗切断用回転刃８と細切断用回転刃９とが嵌め止められている。
【０００７】
前記細切断用回転刃９は、左右方向に所定間隔で形成された環状溝１０と、環状溝１０と環状溝１０との間の突部１１に形成された鋸歯状の多数の細断歯１２とを有している。
【０００８】
前記ケーシング５の前部の内側に、粗切断用回転刃８及び細切断用回転刃９との協働により被処理物を細断する固定刃１５が設けられ、ケーシング５の後部の内側に、粗切断用回転刃８及び細切断用回転刃９の移動軌跡内には突出しないようにして粗切断用回転刃８及び細切断用回転刃９に対向する前縁を有する上下仕切板１６が設けられている。
【０００９】
前記固定刃１５の、細切断用回転刃９に対向する部分は、細切断用回転刃９と噛み合うように凹凸となされ、この凹凸部１５ａ（図６参照）が刃（細切断用回転刃９との協働により被処理物を細断する刃）となされている。また、固定刃１５の、粗切断用回転刃８の移動軌跡に臨む側縁が刃（粗切断用回転刃８との協働により被処理物を細断する刃）として機能するようになされている。
【００１０】
前記固定刃１５及び上下仕切板１６の下方に位置するようにして粗切断用回転刃８の移動軌跡空間を囲う覆い部材１７が設けられている。
【００１１】
前記固定刃１５、細切断用回転刃９、上下仕切板１６及び覆い部材１７により、ケーシング５が、入口３側の入口側室１９と、出口４側の出口側室２０とに区画されている。
【００１２】
なお、細断時に発生する摩擦熱により回転軸７の右側部７ａが高温となっても、回転軸７に設けられた粗切断用回転刃８や細切断用回転刃９等が、ケーシング５に衝突・干渉しないようになされている。
【００１３】
以下、従来の細断機１の作用を説明する。なお、回転軸７は図７に示すごとく矢印Ａの方向に回転する。
入口側室１９に入れられた被処理物は粗切断用回転刃８により粗く細断され、その粗く細断された被処理物は、細切断用回転刃９と固定刃１５との協働により更に細断されて、設定大きさの細断片にとなり、細切断用回転刃９に押されるかたちで、出口側室２０に押し出される。
【特許文献１】実用新案登録第３，０４５，１０６号公報
【特許文献２】国際公開番号  ＷＯ２００４／０２６，４８０号パンフレット
【発明の開示】
【発明が解決しようとする課題】
【００１４】
前記従来の細断機には以下の如き欠点があった。
第１に、駆動モーター３２のケーシング３３がケーシング５に固定されたものであったため、回転軸７が細断時に固定刃１５から力を受けると、回転軸７が固定点であるベアリング２５、３５の拘束を受けて、図９に示すごとく撓み又は撓もうとするため、ベアリング２５、３５に無理な力が作用して、ベアリング２５、３５が破損したり、ベアリング２５、３５の寿命が短くなるという欠点があった。
第２に、左右のベアリング２５により回転軸７が左右方向に遊びがほぼないように拘束されていたため、細断時に発生する摩擦熱により回転軸７の右側部７ａが高温となると（ケーシング５より高温となると）、右側部７ａの熱膨張に伴ってベアリング２５に無理な力が作用して、ベアリング２５が破損したり、ベアリング２５の寿命が短くなるという欠点があった。
【課題を解決するための手段】
【００１５】
本発明は前記欠点を解消するために以下の如き手段を採用した。
（１）請求項１の発明は、上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記左右のベアリングの一方のベアリングが、側壁又は回転軸の一方に左右方向に移動可能なように設けられ、且つ、同他方に左右方向に移動しないように固定され、他方のベアリングの外輪がケーシングに左右方向に移動しないように固定され、同内輪が回転軸に左右方向に移動しないように固定され、外輪及び内輪が左右動しないようになされたベアリングのボールがベアリングの元々の遊びを少なくする状態で外輪・内輪に当接するように、支持板が左又は右に押されており、その状態で支持板が支持軸に対して左右方向に移動可能で且つ支持軸の半径方向に移動可能となされているものである。
（２）請求項２の発明は、上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に第１環状体が介挿された状態で側壁に左右方向には動かないように挟持固定され、また、一対のベアリングの内輪が両者の間に第２環状体が介挿された状態で回転軸に左右方向には動かないように挟持固定され、前記第２環状体の厚みが第１環状体の厚みより薄くなされていて、それらのボールがベアリングの元々の遊びを少なくする状態で外輪・内輪に当接するようになされているものである。
（３）請求項３の発明は、上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に第１環状体が介挿された状態で側壁に左右方向には動かないように挟持固定され、また、一対のベアリングの内輪が両者の間に第２環状体が介挿された状態で回転軸に左右方向には動かないように挟持固定され、前記第１環状体の厚みが第２環状体の厚みより薄くなされていて、それらのボールがベアリングの元々の遊びを少なくする状態で外輪・内輪に当接するようになされているものである。
（４）請求項４の発明は、上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が、両者の間に環状体が介挿された状態で側壁に左右方向には動かないように挟持固定され、また、一対のベアリングの内輪が相互に寄り合うように回転軸に挟持固定されていて、それらのボールがベアリングの元々の遊びを少なくする状態で外輪・内輪に当接するようになされているものである。
（５）請求項５の発明は、上部に入口を有し、下部に出口を有するケーシングと、このケーシングの左右の側壁にベアリングを介して回転自在に支持された水平な回転軸と、この回転軸に嵌め止められた回転刃と、ケーシングの前部の内側に設けられた、回転刃との協働により被処理物を細断する固定刃と、ケーシングの後部の内側に設けられた、回転刃の移動軌跡内には突出しないようになされた上下仕切板と、前記回転軸に出力軸が連結された駆動モーターと、駆動モーターをケーシングに支持させるための駆動モーター支持装置とを有し、前記駆動モーター支持装置が、ケーシングに軸心を左右方向に向けるようにして設けられた支持軸と、この支持軸に、左右方向に移動可能な状態で、且つ、支持軸の半径方向に移動可能な状態で、嵌められた支持板とを有し、前記支持板に駆動モーターが取り付けられており、前記ケーシングの左右の側壁の一方には１つのベアリングが配され、他方の側壁には２つで一対のベアリングが配され、単独で配されたベアリングが、側壁又は回転軸の一方に左右方向に移動可能なように設けられ、且つ、同他方に左右方向に移動しないように固定され、一対のベアリングの外輪が相互に寄り合うように側壁に挟持固定され、また、一対のベアリングの内輪が両者の間に環状体が介挿された状態で回転軸に左右方向には動かないように挟持固定されていて、それらのボールがベアリングの元々の遊びを少なくする状態で外輪・内輪に当接するようになされているものである。
【発明の効果】
【００１６】
本発明は前記した如き構成によって以下の如き効果を奏する。
請求項１〜５の発明によれば、駆動モーターが設けられた支持板が、回転軸を中心として左右方向に揺動する余裕があるので、従来の細断機に比較して、ベアリングに無理な力が作用しない。また、回転軸を支持するベアリングの一方がケーシングに対して左右動自在となされているので、回転軸が熱膨張しても、その膨張を、ケーシングに対して左右動自在なベアリングが左右動することにより逃がすことが出来るので、ベアリングに無理な力が作用しない。
【発明を実施するための最良の形態】
【００１７】
以下に、２つの、本発明の実施の形態を説明する。
なお、これらの説明において同一の部材は同一の符号で示す。また、図６〜図８に示す部材と同一の部材は同一の符号で示す。
【００１８】
［第１の実施の形態］（図１〜図３参照）
なお、この説明において、前とは図１下側を、後とは同上側をいい、左とは図１左側を、右とは同右側をいう。
【００１９】
右のベアリング２５の内輪２５ａは、従来と同様に、回転軸７に挟持部材２８によって固定されている。他方、右のベアリング２５の外輪２５ｂは、従来と相違して、右の側壁６に左右方向に移動可能なようになされている。
【００２０】
左のベアリング２５は、従来と同様に、挟持部材２８及び挟持部材２９により、左の側壁６及び回転軸７に左右方向に移動しないようになされている。
【００２１】
ケーシング５の左の側壁６の外方に、駆動モーター支持装置３８が設けられている。この駆動モーター支持装置３８は、左の側壁６に軸心を左右方向に向けるようにして設けられた支持軸３９と、この支持軸３９の、小径の嵌合部３９ａに、左右方向に移動可能な状態で、且つ、嵌合部３９ａの半径方向に移動可能な状態で、嵌められた支持板４０とを有している。
【００２２】
前記支持板４０は、嵌合部３９ａに嵌まる貫通孔４１を有している。
前記支持軸３９の嵌合部３９ａの左右長さは（ｈ＋α）である。但し、「ｈ」は支持板４０の左右方向の厚みである。また、「α」は１ｍｍ程度である。
前記支持板４０の貫通孔４１の直径は（ｄ＋β）である。但し、「ｄ」は嵌合部３９ａの直径である。また、「β」は１ｍｍ程度である。
【００２３】
前記支持板４０に駆動モーター３２が取り付けられている。
【００２４】
前記左の側壁６に環状突部４４が設けられ、この環状突部４４の外周面には雄ねじ４５が形成され、この雄ねじ４５に欠環状の雌ねじ部材４６がねじ嵌められ、この雌ねじ部材４６の対向する端部に締付ねじ４７が設けられている（図２参照）。この締付ねじ４７は、雌ねじ部材４６の一方の端部に形成された貫通孔を通じて、他方の端部に形成されたねじ孔にねじ嵌められている。このような構成により、締付ねじ４７を緩めた状態で、雌ねじ部材４６を左側に回転・移動させることにより、支持板４０を左側に押すことが出来る（図１の矢印Ｇ参照）。そして、上記の状態となると、締付ねじ４７を締め付けて、雌ねじ部材４６を固定する。このようにすることにより、回転軸７を介して、左のベアリング２５の内輪２５ａを、外輪２５ｂに対して左に片寄らせて、ボール２５ｃを、ベアリング２５の元々の遊びを少なくする状態で外輪２５ｂ・内輪２５ａ当接させることが出来る。そして、その状態で支持板４０が支持軸３９の嵌合部３９ａに対して左右方向に移動可能で且つ支持軸３９の半径方向に移動可能となされている。
【００２５】
上記のごとき構成により、細断時に回転軸７の右側部７ａが撓んでも、支持板４０が回転軸７を中心に左右に傾くことが出来る（図１の矢印Ｆ参照）。その結果、ベアリング３５は支持板４０と共に位置変更して、右側部７ａが撓むのを阻止しない（図３参照）。その結果、従来の細断機１に比較して、ベアリング２５、３５に無理な力が作用しない。
【００２６】
また、細断時に発生する摩擦熱により回転軸７の右側部７ａが高温となって右側部７ａが熱膨張しても、右のベアリング２５が右の側壁６に対して左右動するので、ベアリング２５に無理な力が作用しない。
なお、左側部７ｂはケーシング５の外側に突出していて、右側部７ａ程には高温とならず、また、左側部７ｂは筒状出力軸３４に嵌合されているので、筒状出力軸３４に熱が伝わりにくいので、筒状出力軸３４には、右側部７ａの熱膨張に伴う影響はほとんどない。
【００２７】
以下に第１の実施の形態の変形例等について説明を加える。
（１）右のベアリング２５の内輪２５ａを回転軸７に左右方向に移動可能なようにし、右のベアリング２５の外輪２５ｂを右の側壁６に左右方向に移動しないように固定するようにしてもよい。
（２）左右のベアリング２５の取り付け構造を、左右入れ替えてもよい。
【００２８】
［第２の実施の形態］（図４及び図５参照）
なお、この説明において、前とは図４下側を、後とは同上側をいい、左とは図４左側を、右とは同右側をいう。
【００２９】
ケーシング５の左の側壁６には１つのベアリング２５が配され、右の側壁５には２つで一対のベアリング２５、２５が配されている。
【００３０】
左の側壁６に設けられたベアリング２５の外輪２５ｂが左の側壁６に左右方向に移動可能なように設けられ、同内輪２５ａが回転軸７に左右方向に移動しないように固定されている。
【００３１】
右の側壁６に設けられた、一対のベアリング２５の外輪２５ｂが、両者の間に第１環状体５０が介挿された状態で右の側壁６に左右方向には動かないように挟持固定されている。また、右のベアリング２５の内輪２５ａが両者の間に第２環状体５１が介挿された状態で左右方向には動かないように回転軸７に挟持固定されている。
【００３２】
前記第２環状体５１の厚みは「ｎ」である。そして、第１環状体５０の厚みは、（ｎ＋γ）である。但し、「γ」は、上記のごとく外輪２５ｂ及び内輪２５ａを固定した状態において、ベアリング２５の元々の遊びを少なくするのに適した値に設定されている。
【００３３】
前記のごとき構成により、一対のベアリング２５の内輪２５ａを、外輪２５ｂに対して相互に接近させて、ボール２５ｃが、ベアリング２５の元々の遊びを少なくする状態で外輪２５ｂ・内輪２５ａに当接するようになされている。そして、その状態で支持板４０が支持軸３９の嵌合部３９ａに対して左右方向に移動可能で且つ支持軸３９の半径方向に移動可能となされている。
【００３４】
図５に示すごとく、一対のベアリング２５の内、外側の（ケーシング５の内部から遠い方の）ベアリング２５の外輪２５ｂと右の側壁６との間には環状間隙５３が形成されている。このような構成により、回転軸７の右側部７ａが撓んだ際、外側のベアリング２５に無理な力が作用しないように配慮されている。
【００３５】
上記のごとき構成により、細断時に回転軸７の右側部７ａが撓んでも、支持板４０が回転軸７を中心に左右に傾くことが出来る（図４の矢印Ｆ参照）。その結果、ベアリング３５は支持板４０と共に位置変更して、右側部７ａが撓むのを阻止しない。その結果、従来の細断機１に比較して、ベアリング２５、３５に無理な力が作用しない。
【００３６】
また、細断時に発生する摩擦熱により回転軸７の右側部７ａが高温となって右側部７ａが熱膨張しても、左のベアリング２５が左の側壁６に対して左右動するので、ベアリング２５に無理な力が作用しない。
【００３７】
以下に第２の実施の形態の変形例等について説明を加える。
（１）左の側壁６に設けられたベアリング２５の内輪２５ａを回転軸７に左右方向に移動可能なようにして、同外輪２５ｂを左の側壁６に左右方向に移動しないように固定するようにしてもよい。
（２）第１環状体５０の厚みを「ｎ」として、第２環状体５１の厚みを（ｎ＋γ）としてもよい。
（３）第２環状体５１を無くして、第１環状体５０のみとし、その第１環状体５０の厚みを「γ」とするようにしてもよい。
（４）第１環状体５０を無くして、第２環状体５１のみとし、その第２環状体５１の厚みを「γ」とするようにしてもよい。
（５）左の側壁６に一対のベアリング２５を設け、右の側壁６に単独のベアリング２５を設けるようにしてもよい。
【図面の簡単な説明】
【００３８】
【図１】本発明の第１の実施の形態を示す、細切断用回転刃等を省略した中間省略の平面図である。
【図２】図１のＩＩ−ＩＩ線矢視図である。
【図３】第１の実施の形態の作用を説明するための模式図である。
【図４】本発明の第２の実施の形態を示す、細切断用回転刃等を省略した中間省略の平面図である。
【図５】図４のＢ部分の拡大模式図である。
【図６】従来細断機の平面図である。
【図７】図６のＶＩＩ−ＶＩＩ線断面図である。
【図８】図６のＶＩＩＩ−ＶＩＩＩ線断面図である。
【図９】従来細断機の欠点を説明するための模式図である。
【符号の説明】
【００３９】
３  入口
４  出口
５  ケーシング
６  側壁
７  回転軸
１５  固定刃
１６  上下仕切板
２５  ベアリング
２５ａ  内輪
２５ｂ  外輪
２５ｃ  ボール
３２  駆動モーター
３４  筒状出力軸
３８  駆動モーター支持装置
３９  支持軸
３９ａ  嵌合部
４０  支持板
４１  貫通孔
５０  第１環状体
５１  第２環状体
【図１】
2005329295.tif 000003
【図２】
2005329295.tif 000004
【図３】
2005329295.tif 000005
【図４】
2005329295.tif 000006
【図５】
2005329295.tif 000007
【図６】
2005329295.tif 000008
【図７】
2005329295.tif 000009
【図８】
2005329295.tif 000010
【図９】
2005329295.tif 000011